(57)【要約】      （修正有）【課題】プラスチック成形された蓋頂部の開口予定部を備える複合紙容器のシール検査、ピンホール検査を効率的に行う複合紙容器のシール性検査装置をを提供する。【解決手段】シール性検査装置は、水を満たした広口浅水槽１５内に蓋部を挿入保持する複数の開口１６を備えた保持板１７を備え、広口浅水槽内に開口予定部を備える蓋部全体が浸され、一方の電極１９が広口浅水槽内の水と接続され、広口浅水槽の外にある複合紙容器の底部を貫通して他方の電極１８が内部と接続され、両電極間の通電の有無によって蓋部のシール性を確認する。【選択図】図１
2014088197.tif 000002
【特許請求の範囲】
【請求項１】
内外面に熱可塑性樹脂を備え、折目線が付されたウェブ状紙基材を裁断し、縦シールでスリーブに形成して本体を形成し、該スリーブの一方の開口端に熱可塑性材料でインジェクション成形で頂部に蓋部を形成し、他の開口部から液体食品を充填した後に折目線に沿って折畳み密封して底部を形成した複合紙容器のためのシール性検査装置であって、
該シール性検査装置は、水を満たした広口浅水槽内に該蓋部を挿入保持する複数の開口を備えた保持板を備え、該広口浅水槽内に開口予定部を備える該蓋部全体が浸され、一方の電極が該広口浅水槽内の水と接続され、該広口浅水槽の外にある該複合紙容器の該底部を貫通して他方の電極が内部と接続され、該両電極間の通電の有無によって該蓋部のシール性を確認することを特徴とする複合紙容器のシール性検査装置。
【請求項２】
該保持板の開口の水平方向断面が、該蓋部と嵌合する形状である、請求項1記載の複合紙容器のシール性検査装置。
【請求項３】
該保持板の色が、透明色である請求項２記載の複合紙容器のシール性検査装置。
【発明の詳細な説明】
【技術分野】
【０００１】
本発明は液体食品を充填する複合紙容器に関し、詳しくはプラスチック成形体の蓋部と紙製の本体及び底部からなる複合紙容器の蓋部におけるシール性、ピンホールなどの欠陥をチェックする検査装置に関する。
【背景技術】
【０００２】
柔軟性に富んだ紙包装積層材料は多年にわたって液体食品の他、液体製品を包装するために用いられてきた。牛乳、ジュース、清酒、焼酎、ミネラルウォーター及びその他飲料のための複合紙容器では、折目線が付されたウェブ状紙基材を裁断して縦シールでスリーブに形成し、スリーブの一方の開口端に熱可塑性材料でインジェクション成形で上部蓋部若しくは底部を形成し、他方の開口部から内容液を充填した後に、開口部を折目線に沿って折り畳み密封して液体食品容器を得る。
（特許文献参照）
【先行技術文献】
【特許文献】
【０００３】
【特許文献１】特開２００７−００８５３２号公報
【特許文献２】特開２００６−２９８４２２号公報
【特許文献３】特開２００１−２９３７９７号公報
【発明の概要】
【発明が解決しようとする課題】
【０００４】
通常、食品用の容器では、シール性などの品質を確保するために、様々な検査が行われ、欠陥を検出している。例えば、比較的に薄手の複合紙容器のプラスチック成形した頂部、特に、開口予定部の弱め線の周縁にピンホールが発生して液体食品が漏れたり、外部から無菌でない空気が浸入する不都合がおこる恐れがある。インラインで若しくは、オフラインのサンプリングで、ピンホールなどの欠陥の発生が無いことが検査・確認される。
【０００５】
例えば、サンプリング検査では、複合紙容器の頂部を下方にして検査装置の水中に浸し、複合紙容器の底部に正極のプルーフ針を突き刺し、負極の電極板を水中に浸し、両方の電極を検流計に接続し、通電する。しかしながら、サンプリング検査では、一個毎の複合紙容器の頂部を検査装置で検査するので、効率が必ずしも良好ではない。
【０００６】
本発明の目的は、プラスチック成形された蓋頂部の開口予定部を備える複合紙容器のシール検査、ピンホール検査を効率的に行う複合紙容器のシール性検査装置を提供することである。
【課題を解決するための手段】
【０００７】
本発明のシール性検査装置は、内外面に熱可塑性樹脂を備え、折目線が付されたウェブ状紙基材を裁断し、縦シールでスリーブに形成して本体を形成し、スリーブの一方の開口端に熱可塑性材料でインジェクション成形で頂部に蓋部を形成し、他の開口部から液体食品を充填した後に折目線に沿って折畳み密封して底部を形成した複合紙容器のためのシール性検査装置であって、
シール性検査装置は、水を満たした広口浅水槽内に蓋部を挿入保持する複数の開口を備えた保持板を備え、広口浅水槽内に開口予定部を備える蓋部全体が浸され、一方の電極が広口浅水槽内の水と接続され、広口浅水槽の外にある複合紙容器の底部を貫通して他方の電極が内部と接続され、両電極間の通電の有無によって蓋部のシール性を確認することを特徴とする。
【０００８】
本発明の好ましい態様において、保持板の開口の水平方向断面が、蓋部と嵌合する形状である。
【０００９】
本発明の好ましい態様において、保持板の色が、透明色である。
【発明の効果】
【００１０】
上記構成の本発明によれば、以下の作用機能を発揮し、有利な効果が得られる。
本発明のシール性検査装置は、内外面に熱可塑性樹脂を備え、折目線が付されたウェブ状紙基材を裁断し、縦シールでスリーブに形成して本体を形成し、スリーブの一方の開口端に熱可塑性材料でインジェクション成形で頂部に蓋部を形成し、他の開口部から液体食品を充填した後に折目線に沿って折畳み密封して底部を形成した複合紙容器を検査対象とする。
内外面に熱可塑性樹脂を備える紙基材から、本体及び底部が形成される。従って、その内外では、電気的に絶縁されている。また、熱可塑性材料でインジェクション成形で形成された蓋部もその内外で電気的に絶縁されている。
【００１１】
検査対象の複合紙容器に、ピンホールなどのシール性に影響する欠陥がないのであれば、その内外で電気的に絶縁されている。もし、その内外で、電気的に導通があれば、ピンホールなどのシール性に影響する欠陥がある恐れがある。
【００１２】
この発明の特徴において、シール性検査装置は、水を満たした広口浅水槽を備え、その広口浅水槽内に蓋部を挿入保持する複数の開口を備えた保持板を備える。
水槽の上部開口が、広口であるので、多数個の被検査対象を収容し、順次に若しくは同時に、容易に検査することを可能にする。深さが浅いので、取り扱いが容易にすることができる。水で満たすことで、水が被検査対象に隙間無く接触し、電気的絶縁性／導通性を余すこと無く検査することができる。
開口予定部を備える蓋部全体が広口浅水槽内に浸されるので、容器が、とりわけ、開口予定部を備える蓋部全体が被検査対象にすることができる。
一方の電極が広口浅水槽内の水と接続され、広口浅水槽の外にある複合紙容器の底部を貫通して他方の電極が内部と接続される。複合紙容器の底部が広口浅水槽の外にあり、広口浅水槽内の水と接触しないので、底部は検査対象の部位から外れる。
蓋部を介して容器の内外に設置された両電極間で、電気的な絶縁性が検査され、すなわち、通電の有無が検査される。この検査によって、蓋部のシール性を確認することができる。
【００１３】
本発明の好ましい態様において、保持板の開口の水平方向断面が、蓋部と嵌合する形状である。
逆さになった容器は、保持板の開口でその蓋部が嵌合することのよって、容易に保持されることができる。
【００１４】
本発明の好ましい態様において、保持板の色が、透明色である。
透明であるので、容器、特に、容器の蓋部を確認し、その保持状態、嵌合状態を目視することができる。
上述のように、複合紙容器のシール検査、ピンホール検査を効率的に行うことができる。
【図面の簡単な説明】
【００１５】
【図１】本発明の一実施形態における、検査装置の概略平面図及び部分断面図である。
【図２】本発明の一実施形態における、検査装置の比検査対象の複合紙容器を示す概略図である。
【発明を実施するための形態】
【００１６】
以下、本発明の実施の形態について図面を参照しながら詳細に説明する。
図２に示すように、内溶液を充填する複合紙容器１は、本体の外観が略直方体形状で、底面３、側面４が形成され、本体の上に四角錐台形状に形成された頂面２の上端部に内容液を注出するための円形の開口予定部５を備えて蓋部６が形成される。
開口予定部５の周囲は頂面２や蓋部６より薄厚にして弱め線で開封容易に形成され、レバーを引上げることで開口予定部５を開封できる。開封によって飲用できる。
【００１７】
胴体の底面３と側面４は、内外層に熱可塑性材料層としてＬＤＰＥを備える矩形シート状の紙基材を用いて形成され、紙基材は両側端部を寄せ重ねて熱圧着により縦シール部を形成し、側面４によって矩形筒状に形成される。
紙基材の構成例は、外側から内側にかけて順に、外側層、紙基材、内側層から成り、紙基材の外側面にデザイン等が予め印刷される。外側層、内側層は低密度ポリエチレン樹脂などで形成される。
【００１８】
縦シールでスリーブに形成して本体を形成され、本体の側面４の開口の上端に、プラスチック製で外観が矩形台形状でドーム状の頂部が、インジェクション成形によって複合紙容器に一体成形される。
頂部の原材料に用いられるプラスチックは、ヒートシールが容易なＬＤＰＥ（低密度ポリエチレン）、又は耐熱性に有効なＨＤＰＥ（高密度ポリエチレン）が好ましい。さらに、必要に応じてＥＶＯＨやポリアミドなどの樹脂から成る多層構造としてもよい。
【００１９】
図１に示すよう検査装置例では、、例えば、水道水、地下水、海水などの水を満たし、広口浅水槽１５に、複合紙容器１を縦６個、横１０個で最大６０個を収容する円形の開口１６を備えた保持板１７が配置される。保持板１７は広口浅水槽１５の底面と平行に一定の高さで取付けられ、保持板１７の開口１６に複合紙容器１の蓋部２を嵌合させて挿入し、安定保持する。なお、水の水位は、少なくとも蓋部２全体が浸水する高さである。保持板１７の寸法は、例えば、横幅Ｓ=５００ｍｍｘ縦幅Ｔ=３１０ｍｍで、開口１６は直径Ｄ=３２ｍｍの円形状で、縦横ピッチＦ=４４ｍｍである。
【００２０】
図1及び図２に示すように、電極の配線は、一方の電極１９と他方の電極１８からの接続線はそれぞれ検流計２１に接続され、一方の電極１８の接続線には直流電圧１２５Vを印加し、一方の電極１９を広口浅水槽１５に浸して接続する。他方の電極１８を複合紙容器１の底部３に突刺して内容液の液体食品と接続させる。検流計２１が検出する両電極間の通電の有無によって蓋部２のシール性を確認する。もし、電気が流れるピンホールなどの欠陥があり、不良品と判断される。例示する保持板１７は透明色で開口１６は円形状に形成される。
【００２１】
実施例の保持板１７は、横幅Ｓ=５００ｍｍｘ縦幅Ｔ=３１０ｍｍである。開口１６は直径Ｄ=３２ｍｍの円形状、縦横ピッチＦ=４４ｍｍであるので、蓋部２の水平断面形状が矩形（約４０ｍｍｘ４０ｍｍ）又は矩形で四隅が円弧状の場合でも、複合紙容器１の蓋部２を下方に向けて安定して載置する。保持板１７は透明色であるので、開口１６に挿入した状態の蓋部２が安定して保持板１７に保持されているか否かを確実且つ容易に目視確認できる。このため、複合紙容器１の蓋部２のシール性を確実に確認することができる。
水を満たした広口浅水槽１５内に、複合紙容器１を最大縦６個、横１０個、合計６０個収容する開口１６を備えた保持板１７が配置されるので、複合紙容器１を連続して効率的に検査する。
【００２２】
以上、本発明の実施例を図面に基づいて説明したが、具体的な構成はこの実施例に限られるものではなく本発明の要旨を逸脱しない範囲の設計変更等があっても本発明に含まれる。
【産業上の利用可能性】
【００２３】
この発明は、液体食品の包装充填の製造に適用することができる。
【符号の説明】
【００２４】
１    複合紙容器
３    底部
４    本体、側面
６    蓋部
１４  検査装置
１５  広口浅水槽
１６  開口
１７  保持板
１８  他方の電極
１９  一方の電極
２１  検流計
【図１】
2014088197.tif 000003
【図２】
2014088197.tif 000004